(57)【要約】【目的】  本発明の目的は、ラックの柱体又は板体の端部への取り付けが容易である安価な着脱式配線ダクトを提供する。【構成】  ラック１０の円柱状の柱体１１に着脱可能に取り付けられる樹脂成形品であって、ＯＡ機器等の電子機器の配線２０が入れられる収容部１００と、収容部１００が設けられており且つラック１０の柱体１１を保持する略逆凹字状の保持部２００とを備え、保持部２００は、長さ方向の一端から他端にかけて設けられており且つ他の部分よりも薄肉にされた直線状の薄肉部２１０と、この薄肉部２１０により開閉可能に分割された第１、第２の保持片２２１、２２２とを有する構成となっている。【選択図】      図２
2006238597.tif 000002
【特許請求の範囲】
【請求項１】
ＯＡ機器等の電子機器の配線が入れられる収容部を有し、ラックや机の柱体又は板体の端部に着脱可能に取り付けられる樹脂製の着脱式配線ダクトにおいて、
収容部が設けられた略逆凹字状の保持部を有しており、この保持部は、長さ方向の一端から他端にかけて設けられており且つ他の部分よりも薄肉にされた直線状の薄肉部と、この薄肉部により開閉可能に分割された第１、第２の保持片とを有しており、第１、第２の保持片がラックの柱体又は板体の端部を保持するようになっていることを特徴とする着脱式配線ダクト。
【請求項２】
請求項１記載の着脱式配線ダクトにおいて、収容部は、保持部の第１、第２の保持片に各々設けられた弾性を有する第１、第２の収容片を有し、この第１、第２の収容片が第１、第２の保持片の閉開に応じて開閉することを特徴とする着脱式配線ダクト。
【請求項３】
請求項２記載の着脱式配線ダクトにおいて、第１、第２の収容片の先端部には互いに係合するための係合手段が設けられていることを特徴とする着脱式配線ダクト。
【請求項４】
請求項１記載の着脱式配線ダクトにおいて、収容部は、保持部の第１、第２の保持片のいずれか一方に設けられており且つ先端部が保持部に当接可能な弾性を有する略逆凹字状の片部材であって、前記先端部は、第１、第２の保持片の閉開に応じて保持部から離れたり近づいたりするようになっていることを特徴とする着脱式配線ダクト。
【請求項５】
請求項４記載の着脱式配線ダクトにおいて、収容部の先端部及び保持部の収容部が当接する部分には互いに係合するための係合手段が設けられていることを特徴とする着脱式配線ダクト。
【発明の詳細な説明】
【技術分野】
【０００１】
本発明は、ＯＡ機器等の電子機器の配線が入れられる収容部を有し、ラックの柱体又は板体の端部に着脱可能に取り付けられる着脱式配線ダクトに関する。
【背景技術】
【０００２】
この種の着脱式配線ダクトとしては、前記収容部と、この収容部をラックの円柱状の柱体に取り付けるための複数の取付具とを備え、この取付具は柱体が嵌合する略Ｕ字状の部材であって、一対の先端部に収容部を係止する係止片が各々設けられたものがある。
【０００３】
【特許文献１】特開２００４−１６５５０３号公報
【発明の開示】
【発明が解決しようとする課題】
【０００４】
しかしながら、前記着脱式配線ダクトは、柱体が嵌合した状態で複数の取付具の一対の先端部の係止片を収容部に各々係止させなければならないことから、取り付けが面倒であるという欠点を有している。また、収容部と取付具とが別部材でることから、部品点数が増加し低コスト化を図ることが困難であるという別の欠点も有している。
【０００５】
本発明は、上記事情に鑑みて創案されたものであって、その目的とするところは、ラックの柱体又は板体の端部への取り付けが容易である安価な着脱式配線ダクトを提供することにある。
【課題を解決するための手段】
【０００６】
上記課題を解決するために、本発明の着脱式配線ダクトは、ＯＡ機器等の電子機器の配線が入れられる収容部を有し、ラックや机の柱体又は板体の端部に着脱可能に取り付けられる樹脂製の着脱式配線ダクトであって、収容部が設けられた略逆凹字状の保持部を有しており、この保持部は、長さ方向の一端から他端にかけて設けられており且つ他の部分よりも薄肉にされた直線状の薄肉部と、この薄肉部により開閉可能に分割された第１、第２の保持片とを有しており、第１、第２の保持片がラックの柱体又は板体の端部を保持するようになっているＯＡ機器等の電子機器ことを特徴としている。なお、ここで言うラックは、所謂スチールシェルフ等の金属製の棚や本棚等の木製の棚を含む概念である。
【０００７】
収容部は、保持部の第１、第２の保持片に各々設けられた弾性を有する第１、第２の収容片を有し、この第１、第２の収容片が第１、第２の保持片の閉開に応じて開閉するようになっている。
【０００８】
この第１、第２の収容片の先端部には互いに係合するための係合手段が設けられていることが好ましい。
【０００９】
或いは、収容部は、保持部の第１、第２の保持片のいずれか一方に設けられており且つ先端部が保持部に当接可能な弾性を有する略逆凹字状の片部材であって、前記先端部は、第１、第２の保持片の閉開に応じて保持部から離れたり近づいたりするようになっている。
【００１０】
収容部の先端部及び保持部の収容部が当接する部分には互いに係合するための係合手段が設けられていることが好ましい。
【発明の効果】
【００１１】
本発明の請求項１に係る着脱式配線ダクトによる場合、収容部が設けられた略逆凹字状の保持部が、長さ方向の一端から他端にかけて設けられており且つ他の部分よりも薄肉にされた直線状の薄肉部と、この薄肉部により開閉可能に分割された第１、第２の保持片とを有する構成となっている。この第１、第２の保持片の間にラックの柱体又は板体の端部を押し入れると、第１、第２の保持片が開いてラックの柱体又は板体の端部を保持する。このように第１、第２の保持片の間にラックの柱体又は板体の端部を押し入れるだけで、ラックに取り付けることができることから、従来例と比べて取り付けが非常に簡単になる。また、収容部と保持部とが一体的に設けられていることから、部品点数が減少するので、低コスト化を図る上でメリットがある。
【００１２】
本発明の請求項２に係る着脱式配線ダクトによる場合、保持部の第１、第２の保持片を閉じると、収容部の第１、第２の収容片が開くので、当該第１、第２の収容片の間から配線を入れることができる。その後、第１、第２の保持片の間にラックの柱体又は板体の端部を押し入れると、第１、第２の保持片が開いて第１、第２の収容片が閉じる。このようにして配線を第１、第２の収容片の間に簡単に入れることができる。即ち、配線を収容部内に簡単に収容させることができるので、配線の収容作業が非常に簡単になり、使い勝手が向上する。しかも、第１、第２の収容片は弾性を有していることから、閉じた状態であっても、その間に配線を押し当てると、弾性変形する。即ち、ラックに取り付け、第１、第２の収容片が閉じた状態であっても、配線を出し入れすることができるので、この点でも使い勝手が良く、便利である。
【００１３】
本発明の請求項３に係る着脱式配線ダクトによる場合、第１、第２の収容片の先端部には互いに係合するための係合手段が設けられている。即ち、係合手段により第１、第２の収容片が閉じた状態が維持されるので、第１、第２の収容片の先端部の間に隙間が生じることがなく、当該隙間から塵や埃が侵入するのを防止することができる。
【００１４】
本発明の請求項４に係る着脱式配線ダクトによる場合、収容部は、保持部の第１、第２の保持片のいずれか一方に設けられており且つ先端部が保持部に当接可能な略逆凹字状の片部材であって、前記先端部は、第１、第２の保持片の閉開に応じて保持部から離れたり近づいたりするようになっている。即ち、保持部の第１、第２の保持片を閉じると、収容部の先端部が保持部から離れるので、当該先端部と保持部との間から配線を入れることができる。その後、第１、第２の保持片の間にラックの柱体又は板体の端部を押し入れると、収容部の先端部が保持部に近づいて当接する。このようにして配線を収容部に簡単に収容させることができるので、配線の収容作業が非常に簡単になり、使い勝手が向上する。しかも、収容部は弾性を有していることから、収容部の先端部が保持部に当接した状態で、当該収容部を把持して先端部が保持部から離なれる方向に引っ張ると、収容部の基端部が弾性変形するようになっている。即ち、ラックに取り付け、収容部の先端部が保持部に当接した状態であっても、配線を出し入れすることができるので、この点でも使い勝手が良く、便利である。
【００１５】
本発明の請求項５に係る着脱式配線ダクトによる場合、収容部の先端部及び保持部の収容部が当接する部分には互いに係合するための係合手段が設けられている。即ち、係合手段により収容部の先端部が保持部に当接した状態が維持されるので、収容部の先端部と保持部との間に隙間が生じることがなく、当該隙間から塵や埃が侵入するのを防止することができる。
【発明を実施するための最良の形態】
【００１６】
以下、本発明の実施の形態に係る着脱式配線ダクトについて説明する。
【実施例１】
【００１７】
まず、本発明の第１の実施の形態に係る着脱式配線ダクトについて図面を参照しながら説明する。図１は本発明の第１の実施の形態に係る着脱式配線ダクトの使用状態を示す斜視図、図２は同ダクトの正面図であって、( ａ) が取付状態を示す図、( ｂ) が非取付状態を示す図、図３は同ダクトの保持部の薄肉部を示す図２のα部分の拡大図、図４は同ダクトの収容部の係合手段を示す図であって、( ａ) が図２のβ部分の拡大図、( ｂ) が図２のγ部分の拡大図である。
【００１８】
図１及び図２に示す着脱式配線ダクトＡは、ラック１０の円柱状の柱体１１に着脱可能に取り付けられる長尺状の樹脂成形品であって、図示しないＯＡ機器等の電子機器の配線２０が入れられる収容部１００と、収容部１００が設けられており且つラック１０の柱体１１を保持する略逆凹字状の保持部２００とを有している。以下、各部を詳しく説明する。
【００１９】
保持部２００は、図２又は図３に示すように、中央部の長さ方向の一端から他端にかけて設けられており且つ他の部分よりも薄肉にされた直線状の薄肉部２１０と、この薄肉部２１０により開閉可能に分割された第１、第２の保持片２２１、２２２とを有する。第１、第２の保持片２２１、２２２は、ラック１０の柱体１１の周面に沿うように湾曲した弾性片である。第１、第２の保持片２２１、２２２は、その間に柱体１１が押し入れられることにより当該柱体１１を保持する。
【００２０】
収容部１００は、図２に示すように、保持部２００の第１、第２の保持片２２１、２２２に各々設けられた第１、第２の収容片１１０、１２０を有する。第１、第２の収容片１１０、１２０は、先端部１１１、１２１が互いに対向するように略逆し字状に湾曲した一対の弾性片であって、第１、第２の保持片２２１、２２２の閉開に応じて開閉するようになっている。
【００２１】
第１の収容片１１０の先端部１１１には、図４に示すように、係合凹部１１１ａが設けられている。第２の収容片１２０の先端部１２１には、第１の収容片１１０の係合凹部１１１ａに係合する係合凸部１２１ａが設けられている。
【００２２】
以下、着脱式配線ダクトＡの使用方法を説明すると共に、各部の動作について説明する。ラック１０の柱体１１に取り付ける前の状態においては、図２( ｂ）に示すように、保持部２００の第１、第２の保持片２２１、２２２が閉じ、収容部１００の第１、第２の収容片１１０、１２０が開いている。
【００２３】
まず、配線２０を収容部１００の第１、第２の収容片１１０、１２０の先端部１１１、１２１の間の隙間から収容部１００内に入れる。そして、保持部２００の第１、第２の保持片２２１、２２２の間に柱部１１を押し入れる。すると、第１、第２の保持片２２１、２２２が弾性変形しつつ開く。そして、図２( ａ）に示すように、柱部１１が第１、第２の保持片２２１、２２２の間に嵌まり込む。このようにして着脱式配線ダクトＡがラック１０の柱体１１に取り付けられる。この過程で、第１、第２の収容片１１０、１２０が閉じて第１の収容片１１０の係合凹部１１１ａに第２の収容片１２０の係合凸部１２１ａが係合される。これにより配線２０が収容部１００に収容される。
【００２４】
ラック１０の柱体１１から取り外すに当っては、収容部１００を把持して柱部１１から離れる方向に引っ張る。すると、保持部２００の第１、第２の保持片２２１、２２２が弾性変形して柱部１１が外れる。すると、第１、第２の保持片２２１、２２２が閉じ、第１の収容片１１０の係合凹部１１１ａと第２の収容片１２０の係合凸部１２１ａとの係合が外れ、第１、第２の収容片１１０、１２０が開く。これにより第１、第２の収容片１１０、１２０の間から配線２０を取り出すことが可能になる。
【００２５】
このような着脱式配線ダクトＡによる場合、保持部２００の第１、第２の保持片２２１、２２２の間にラック１０の柱体１１を押し入れるだけで、柱部１１に取り付けることができることから、従来例と比べて取り付けが非常に簡単になる。また、収容部１００と保持部２００とが一体的に設けられていることから、部品点数が減少し、低コスト化を図る上でメリットがある。しかも、第１、第２の収容片１１０、１２０が開いた状態で、その間に配線２０を入れた後、保持部２００の第１、第２の保持片２２１、２２２をラック１０の柱体１１に取り付けるだけで、第１、第２の保持片２２１、２２２が開いて第１、第２の収容片１１０、１２０が閉じ、これにより配線２０が収容部１００内に収容されるようになっている。このため、配線２０の収容作業が非常に簡単になり、使い勝手が向上する。更に、第１、第２の収容片は樹脂製の弾性片であることから、閉じた状態であっても、その間に配線２０を押し当てると、弾性変形する。これにより第１の収容片１１０の係合凹部１１１ａと第２の収容片１２０の係合凸部１２１ａとの係合が外れるので、配線２０を出し入れすることができる。即ち、保持部２００をラック１０の柱体１１に取り付け、第１、第２の収容片１１０、１２０が閉じた状態であっても、配線２０を出し入れすることができるので、この点でも使い勝手が良く、便利である。
【実施例２】
【００２６】
次に、本発明の第２の実施の形態に係る着脱式配線ダクトについて図面を参照しながら説明する。図５は本発明の第２の実施の形態に係る着脱式配線ダクトの斜視図、図６は同ダクトの正面図であって、( ａ) が取付状態を示す図、( ｂ) が非取付状態を示す図、図７は同ダクトの保持部の薄肉部を示す図６のδ部分の拡大図である。
【００２７】
図５及び図６に示す着脱式配線ダクトＢは、着脱式配線ダクトＡと収容部３００の形状及び保持部２００の薄肉部２１０の形状の点で異なっている。よって、以下、その相違点について詳しく説明し、重複する部分については説明を省略する。なお、符号については、収容部に３００を付し、薄肉部には２１０’を付す。
【００２８】
保持部２００の薄肉部２１０’は、図６及び図７に示すように、保持部２００の表面の中央部が薄肉にされている。この薄肉部２１０’は薄肉部２１０と比べて幅広になっている。
【００２９】
収容部３００は、保持部２００の第１、第２の保持片２２１、２２２に各々設けられた第１、第２の収容片３１０、３２０を有する。第１、第２の収容片３１０、３２０は、先端部が半円弧状に湾曲した一対の弾性片である。この点で第１、第２の収容片１１０、１２０と異なる。
【００３０】
以下、着脱式配線ダクトＢの使用方法を説明すると共に、各部の動作について説明する。ラック１０( 図１参照) の柱体１１に取り付ける前の状態においては、図６( ｂ）に示すように、保持部２００の第１、第２の保持片２２１、２２２が閉じ、収容部３００の第１、第２の収容片３１０、３２０が開いている。
【００３１】
まず、配線２０を収容部３００の第１、第２の収容片３１０、３２０の先端部の間の隙間から収容部３００内に入れる。そして、保持部２００の第１、第２の保持片２２１、２２２の間に柱部１１を押し入れる。すると、第１、第２の保持片２２１、２２２が弾性変形しつつ開く。そして、図６( ａ）に示すように、柱部１１が第１、第２の保持片２２１、２２２の間に嵌まり込む。このようにして着脱式配線ダクトＢがラック１０の柱体１１に取り付けられる。この過程で、第１、第２の収容片３１０、３２０が閉じて配線２０を収容する。
【００３２】
ラック１０の柱体１１から取り外すに当っては、収容部３００を把持して柱部１１から離れる方向に引っ張る。すると、保持部２００の第１、第２の保持片２２１、２２２が弾性変形して柱部１１が外れる。すると、第１、第２の保持片２２１、２２２が閉じて第１、第２の収容片３１０、３２０が開く。これにより第１、第２の収容片３１０、３２０の間から配線２０を取り出すことが可能になる。
【００３３】
このような着脱式配線ダクトＢによる場合であっても、保持部２００の第１、第２の保持片２２１、２２２の間にラック１０の柱体１１を押し入れるだけで、柱部１１に取り付けることができることから、従来例と比べて取り付けが非常に簡単になる。また、収容部３００と保持部２００とが一体的に設けられていることから、部品点数が減少し、低コスト化を図る上でメリットがある。しかも、第１、第２の収容片３１０、３２０が開いた状態で、その間に配線２０を入れた後、保持部２００の第１、第２の保持片２２１、２２２をラック１０の柱体１１に取り付けるだけで、第１、第２の保持片２２１、２２２が開いて第１、第２の収容片３１０、３２０が閉じ、これにより配線２０が収容部３００内に収容されるようになっている。このため、配線２０の収容作業が非常に簡単になり、使い勝手が向上する。更に、第１、第２の収容片３１０、３２０は樹脂製の弾性片であることから、閉じた状態であっても、その間に配線２０を押し当てると、弾性変形する。即ち、保持部２００をラック１０の柱体１１に取り付け、第１、第２の収容片３１０、３２０が閉じた状態であっても、配線２０を出し入れすることができるので、この点でも使い勝手が良く、便利である。
【実施例３】
【００３４】
次に、本発明の第３の実施の形態に係る着脱式配線ダクトについて図面を参照しながら説明する。図８は本発明の第３の実施の形態に係る着脱式配線ダクトの斜視図、図９は同ダクトの正面図であって、( ａ) が取付状態を示す図、( ｂ) が非取付状態を示す図、図１０は同ダクトの収容部の係合手段を示す図であって、( ａ) が図９のε部分の拡大図、( ｂ) が図９のζ部分の拡大図である。
【００３５】
図８及び図９に示す着脱式配線ダクトＣは、着脱式配線ダクトＡと収容部４００の形状及び保持部５００の第１、第２の保持片５２１、５２２の形状の点で異なっている。よって、以下、その相違点について詳しく説明し、重複する部分については説明を省略する。なお、符号については、収容部に４００を付し、保持部に５００を付す。
【００３６】
保持部５００は、上面の中央部に長さ方向の一端から他端にかけて切れ込みが入れられることにより他の部分よりも薄肉にされた直線状の薄肉部５１０と、この薄肉部５１０により開閉可能に分割された一対の第１、第２の保持片５２１、５２２とを有する。第１の保持片５２１は、略つ字状の弾性片であって、ラック１０の板体１２の円柱状の支柱１２ａを保持する。第２の保持片５２２は、第１の保持片５２１と対向する略逆つ字状の弾性片であって、ラック１０の板体１２の円柱状の支柱１２ａを保持する。
【００３７】
収容部４００は、略逆つ字状に湾曲した第１の収容片４１０と、第１の収容片４１０と先端部同士４１１、４２１が対向するように湾曲した第２の収容片４２０とを有する。第１の収容片４１０の先端部４１１には、図１０に示すように、係合凹部４１１ａが設けられている。第２の収容片４２０の先端部４２１には、第１の収容片４１０の係合凹部４１１ａに係合する係合凸部４２１ａが設けられている。
【００３８】
以下、着脱式配線ダクトＣの使用方法を説明すると共に、各部の動作について説明する。ラック１０の板体１２の端部に取り付ける前の状態においては、保持部５００の第１、第２の保持片５２１、５２２が閉じ、収容部４００の第１、第２の収容片４１０、４２０が開いている( 図９( ｂ）参照) 。
【００３９】
まず、配線２０を収容部４００の第１、第２の収容片４１０、４２０の先端部４１１、４２１の間の隙間から収容部４００内に入れる。そして、保持部５００の第２の保持片５２２をラック１０の板体１２の一方の支柱１２ａに係合させる。その後、第１の保持片５２１を板体１２の他方の支柱１２ａに押しつける( 即ち、保持部５００の第１、第２の保持片５２１、５２２の間にラック１０の板体１２の端部を押し入れる) 。なお、第１の保持片５２１を一方の支柱１２ａに係合させた後、第２の保持片５２２を他方の支柱１２ａに押しつけるようにしても良い。
【００４０】
すると、第１、第２の保持片５２１、５２２が開くと共に、当該第１の保持片５２１の先端部が弾性変形し、他方の支柱１２ａを乗り越えて当該支柱１２ａを係合する( 図９( ａ）参照) 。このようにして着脱式配線ダクトＣがラック１０の板体１２の端部に取り付けられる。この過程で、第１、第２の収容片４１０、４２０が閉じて第１の収容片４１０の係合凹部４１１ａに第２の収容片４２０の係合凸部４２１ａが係合される。これにより配線２０が収容部４００に収容される。
【００４１】
ラック１０の板体１２の端部から取り外すに当っては、収容部４００を把持して板体１２から離れる斜方向に引っ張る( 即ち、図示斜め上方に引っ張る) 。すると、保持部５００の第１、第２の保持片５２１、５２２のいずれか一方が弾性変形して支柱１２ａから外れる。すると、第１、第２の保持片５２１、５２２が閉じて第１、第２の収容片４１０、４２０が開く。これにより第１の収容片４１０の係合凹部４１１ａと第２の収容片４２０の係合凸部４２１ａとの係合が外れ、第１、第２の収容片４１０、４２０の間から配線２０を取り出すことが可能になる。その後、第１、第２の保持片５２１、５２２の他方を支柱１２ａから外す。
【００４２】
このような着脱式配線ダクトＣによる場合であっても、保持部５００の第１、第２の保持片５２１、５２２の間にラック１０の板体１２の端部を押し入れると、第１、第２の保持片５２１、５２２が板体１２の支柱１２ａを係合する。このため、従来例と比べて取り付けが非常に簡単になる。また、収容部４００と保持部５００とが一体的に設けられていることから、部品点数が減少し、低コスト化を図る上でメリットがある。しかも、第１、第２の収容片４１０、４２０が開いた状態で、その間に配線２０を入れた後、保持部５００の第１、第２の保持片５２１、５２２をラック１０の板体１２の支柱１２ａに取り付けるだけで、第１、第２の保持片５２１、５２２が開いて第１、第２の収容片４１０、４２０が閉じ、これにより配線２０が収容部４００内に収容されるようになっている。このため、配線２０の収容作業が非常に簡単になり、使い勝手が向上する。更に、第１、第２の収容片４１０、４２０は、樹脂製の弾性片であることから、閉じた状態であっても、その間に配線２０を押し当てると、弾性変形する。これにより第１の収容片４１０の係合凹部４１１ａと第２の収容片４２０の係合凸部４２１ａとの係合が外れるので、配線２０を出し入れすることができる。即ち、保持部５００をラック１０の柱体１１に取り付け、第１、第２の収容片４１０、４２０が閉じた状態であっても、配線２０を出し入れすることができるので、この点でも使い勝手が良く、便利である。
【実施例４】
【００４３】
次に、本発明の第４の実施の形態に係る着脱式配線ダクトについて図面を参照しながら説明する。図１１は本発明の第４の実施の形態に係る着脱式配線ダクトの斜視図、図１２は同ダクトの正面図であって、( ａ) が取付状態を示す図、( ｂ) が非取付状態を示す図である。
【００４４】
図１１及び図１２に示す着脱式配線ダクトＤは、着脱式配線ダクトＣと収容部６００の形状の点で異なっている。よって、以下、その相違点について詳しく説明し、重複する部分については説明を省略する。なお、符号については、収容部に６００を付す。
【００４５】
収容部６００は、保持部５００の第１の保持片５２１に設けられており且つ先端部６１０が第２の保持片５２２に当接可能な略逆凹字状の弾性を有する片部材である。収容部６００の先端部６１０は、第１、第２の保持片５２１、５２２の閉開に応じて第２の保持片５２２から離れたり近づいたりするようになっている。この収容部６００の先端部６１０には、第２の保持片５２２の係合片５２２ａに係合される係合片６１１が設けられている。
【００４６】
保持部５００の第２の保持片５２２の収容部６００が当接する部分には、収容部６００の係合片６１１と係合する係合片５２２ａが設けられている。
【００４７】
以下、着脱式配線ダクトＤの使用方法を説明すると共に、各部の動作について説明する。ラック１０の板体１２の端部に取り付ける前の状態においては、保持部５００の第１、第２の保持片５２１、５２２が閉じ、収容部６００の先端部６１０が第２の保持片５２２から離れている。( 図１２( ｂ）参照) 。
【００４８】
まず、配線２０を収容部６００の先端部６１０と第２の保持片５２２との間の隙間から収容部６００内に入れる。そして、保持部５００の第２の保持片５２２をラック１０の板体１２の一方の支柱１２ａに係合させる。その後、第１の保持片５２１を板体１２の他方の支柱１２ａに押しつける( 即ち、保持部５００の第１、第２の保持片５２１、５２２の間にラック１０の板体１２の端部を押し入れる) 。なお、第１の保持片５２１を一方の支柱１２ａに係合させた後、第２の保持片５２２を他方の支柱１２ａに押しつけるようにしても良い。
【００４９】
すると、第１、第２の保持片５２１、５２２が開くと共に、当該第１の保持片５２１の先端部が弾性変形して他方の支柱１２ａを乗り越え、当該支柱１２ａを係合する( 図１２( ａ）参照) 。このようにして着脱式配線ダクトＤがラック１０の板体１２の端部に取り付けられる。この過程で、収容部６００の先端部６１０が第２の保持片５２２に近づき、収容部６００の係合片６１１が第２の保持片５２２の係合片５２２ａに係合される。これにより配線２０が収容部６００に収容される。
【００５０】
ラック１０の板体１２の端部から取り外すに当っては、収容部６００を把持して板体１２から離れる斜方向に引っ張る( 即ち、図示斜め上方に引っ張る) 。すると、保持部５００の第１、第２の保持片５２１、５２２のいずれか一方が弾性変形して支柱１２ａから外れる。すると、第１、第２の保持片５２１、５２２が閉じるので、収容部６００の係合片６１１と第２の保持片５２２の係合片５２２ａとの係合が外れ、収容部６００の先端部が第２の保持片５２２から離れる。これにより収容部６００の先端部６１０と第２の保持片５２２との間の隙間から配線２０を取り出すことが可能になる。その後、第１、第２の保持片５２１、５２２の他方を支柱１２ａから外す。
【００５１】
このような着脱式配線ダクトＤによる場合であっても、保持部５００の第１、第２の保持片５２１、５２２の間にラック１０の板体１２の端部を押し入れると、第１、第２の保持片５２１、５２２が板体１２の支柱１２ａを係合する。このため、従来例と比べて取り付けが非常に簡単になる。また、収容部６００と保持部５００とが一体的に設けられていることから、部品点数が減少し、低コスト化を図る上でメリットがある。しかも、収容部６００の先端部６１０が保持部５００から離れた状態で、当該先端部６１０と保持部５００との間から配線２０を入れた後、第１、第２の保持片５２１、５２２の間にラック１０の板体１２の端部を押し入れると、収容部６００の先端部６１０が保持部５００に近づいて当接する。このようにして配線２０を収容部６００に簡単に収容させることができるので、配線２０の収容作業が非常に簡単になり、使い勝手が向上する。更に、収容部６００は樹脂製の弾性を有する片部材であることから、収容部６００の先端部６１０が保持部５００に当接した状態で当該先端部６１０を保持部５００から離れる方向に引っ張ると、収容部６００の基端部が弾性変形する。これにより収容部６００の先端部６１０と保持部５００との間から配線を出し入れすることができる。即ち、ラック１０の板体１２に取り付け、収容部６００の先端部６１０が保持部５００に当接した状態であっても、配線２０を出し入れすることができるので、この点でも使い勝手が良く、便利である。
【００５２】
なお、上記着脱式配線ダクトは、ＯＡ機器等の電子機器の配線が入れられる収容部を有し、ラックの柱体又は板体の端部に着脱可能に取り付けられる樹脂製の着脱式配線ダクトであって、収容部が設けられた略逆凹字状の保持部を有しており、この保持部は、長さ方向の一端から他端にかけて設けられており且つ他の部分よりも薄肉にされた直線状の薄肉部と、この薄肉部により開閉可能に分割された第１、第２の保持片とを有しており、第１、第２の保持片がラックの柱体又は板体の端部を保持するようになっているようになっている限りどのように設計変更をしてもかまわない。なお、図１３は本発明の第２の実施の形態に係る着脱式配線ダクトの設計変更例を示す図であって、( ａ) は斜視図、( ｂ) は取付状態及び非取付状態を示す正面図、図１４は本発明の第４の実施の形態に係る着脱式配線ダクトの設計変更例を示す図であって、( ａ) は斜視図、( ｂ) は取付状態及び非取付状態を示す正面図、図１５は本発明の第４の実施の形態に係る別の着脱式配線ダクトの設計変更例を示す図であって、( ａ) は取付状態を示す正面図、( ｂ) は非取付状態を示す正面図である。
【００５３】
収容部については、配線２０が入れられる筒状をなすものであればどのような形状のものであっても良い。この収容部が第１、第２の収容片を有する構成である場合、第１、第２の収容片は、保持部の第１、第２の保持片に各々設けられており且つ第１、第２の保持片の閉開に応じて開閉する構成となっている限りどのような形状のものを用いてもかまわない。例えば、第１の収容片を略く字状とする一方、第２の収容片を第１の収容片と対向する略逆く字状とすることができる。また、第１、第２の収容片は上記実施例のように一対の形状である必要はない。例えば、図１３に示すように、着脱式配線ダクトＢの第１の収容片３１０’の先端部３１１’を略３／４円弧状に湾曲させた形状とする一方、第２の収容片３２０’の先端部３２１’を略１／４円弧状に湾曲させた形状としても良い。
【００５４】
第１、第２の収容片の先端部には互いに係合するための係合手段が設けられているとしたが、係合手段を設けるか否か任意である。また、設けるに当たっては、上記実施例に限定されない。
【００５５】
収容部が片部材である場合、保持部の第１、第２の保持片のいずれか一方に設けられており且つ先端部が保持部に当接可能な略逆凹字状の片部材であって、前記先端部は、第１、第２の保持片の閉開に応じて保持部から離れたり近づいたりするようになっている限りどのような形状のものを用いてもかまわない。また、図１４に示すように、着脱式配線ダクトＤの収容部６００’の基端部６２０’の外側面に長さ方向の一端から他端にかけて切れ込み６２１’を入れ、これにより収容部６００’の先端部６１０’が第２の保持片８２２から離れたり近づいたりし易くすることができる。更に、図１５に示すように、着脱式配線ダクトＤの収容部６００’’の基端部６２０’’の内側面に長さ方向の一端から他端にかけて切れ込み６２１’’を入れ、これにより収容部６００’’の先端部６１０’’が第２の保持片５２２’から離れたり近づいたりし易くすることができる。なお、前記切れ込みは他の実施例の収容部に設けることが可能であることは言う迄もない。
【００５６】
収容部の先端部及び保持部の収容部が当接する部分には互いに係合するための係合手段が設けられているとしたが、係合手段を設けるか否か任意である。また、設けるに当たっては、上記実施例に限定されない。
【００５７】
保持部については、長さ方向の一端から他端にかけて設けられており且つ他の部分よりも薄肉にされた直線状の薄肉部と、この薄肉部により開閉可能に分割された第１、第２の保持片とを有する構成である限りどのような形状のものを用いてもかまわない。なお、薄肉部については、保持部の中央部に設ける必要はなく、保持部の幅方向に位置ズレして設けるようにしてもかまわない。また、どのような方法で薄肉にするか否かは任意であり、薄肉部とすべき部分を薄肉に成形するようにしても良いし、切り込みを入れて薄肉としても良い。
【００５８】
第１、第２の保持片については、上記実施例では、柱体１１に沿って湾曲したもの( 第１、第２の保持片２２１、２２２) 、互いに対向する略つ字状、略逆つ字状のもの( 第１、第２の保持片５２１、５２２) であるとしたが、これに限定されることはない。例えば、角柱状の柱体を保持し得るように、第１、第２の保持片を互いに対向する略く字状、略逆く字状とすることができるし、ラック１０の柱体１１や本棚の板体を保持可能にするために、図１４に示すように、第１、第２の保持片８２１、８２２を先端部が内側に向けて湾曲した直線状とすることができる。また、第１、第２の保持片は、互いに異なる形状とすることもできる。例えば、図１５に示すように、第１の保持片５２１’を先端部が略レ字状に折れ曲がった形状にする一方、第２の保持片５２２’を略つ字状とすることも可能である。
【００５９】
なお、上述した保持部と収容部とは、任意に組み合わせが可能であることは言う迄もない。また、保持部と収容部とは、長さ寸法が異なっていてもかまわない。換言すると、保持部が収容部よりも短くても良いし、長くても良い。また、保持部又は収容部を断続的に設けるようにすることもできる。上記着脱式配線ダクトは長尺状のものに限定されない。
【図面の簡単な説明】
【００６０】
【図１】本発明の第１の実施の形態に係る着脱式配線ダクトの使用状態を示す斜視図である。
【図２】同ダクトの正面図であって、( ａ) が取付状態を示す図、( ｂ) が非取付状態を示す図である。
【図３】同ダクトの保持部の薄肉部を示す図２のα部分の拡大図である。
【図４】同ダクトの収容部の係合手段を示す図であって、( ａ) が図２のβ部分の拡大図、( ｂ) が図２のγ部分の拡大図である。
【図５】本発明の第２の実施の形態に係る着脱式配線ダクトの斜視図である。
【図６】同ダクトの正面図であって、( ａ) が取付状態を示す図、( ｂ) が非取付状態を示す図である。
【図７】同ダクトの保持部の薄肉部を示す図６のδ部分の拡大図である。
【図８】本発明の第３の実施の形態に係る着脱式配線ダクトの斜視図である。
【図９】同ダクトの正面図であって、( ａ) が取付状態を示す図、( ｂ) が非取付状態を示す図である。
【図１０】同ダクトの収容部の係合手段を示す図であって、( ａ) が図９のε部分の拡大図、( ｂ) が図９のζ部分の拡大図である。
【図１１】本発明の第４の実施の形態に係る着脱式配線ダクトの斜視図である。
【図１２】同ダクトの正面図であって、( ａ) が取付状態を示す図、( ｂ) が非取付状態を示す図である。
【図１３】本発明の第２の実施の形態に係る着脱式配線ダクトの設計変更例を示す図であって、( ａ) は斜視図、( ｂ) は取付状態及び非取付状態を示す正面図である。
【図１４】本発明の第４の実施の形態に係る着脱式配線ダクトの設計変更例を示す図であって、( ａ) は斜視図、( ｂ) は取付状態及び非取付状態を示す正面図である。
【図１５】本発明の第４の実施の形態に係る着脱式配線ダクトの別の設計変更例を示す図であって、( ａ) は取付状態を示す正面図、( ｂ) は非取付状態を示す正面図である。
【符号の説明】
【００６１】
１０      ラック
１１      柱体
１２      板体
１２ａ    支柱
２０      配線
１００    収容部
１１０    第１の収容片
１２０    第２の収容片
２００    保持部
２１０    薄肉部
２２１    第１の保持片
２２２    第２の保持片
３００    収容部
３１０    第１の収容片
３２０    第２の収容片
２１０’  薄肉部
４００    収容部
４１０    第１の収容片
４２０    第２の収容片
５００    保持部
５１０    薄肉部
５２１    第１の保持片
５２２    第２の保持片
【図１】
2006238597.tif 000003
【図２】
2006238597.tif 000004
【図３】
2006238597.tif 000005
【図４】
2006238597.tif 000006
【図５】
2006238597.tif 000007
【図６】
2006238597.tif 000008
【図７】
2006238597.tif 000009
【図８】
2006238597.tif 000010
【図９】
2006238597.tif 000011
【図１０】
2006238597.tif 000012
【図１１】
2006238597.tif 000013
【図１２】
2006238597.tif 000014
【図１３】
2006238597.tif 000015
【図１４】
2006238597.tif 000016
【図１５】
2006238597.tif 000017